(57)【要約】      （修正有）【課題】  高いホール導電性と熱安定性をを有する層を形成することにより、例えば有機ＥＬのような電子部品の特性を向上させる。【解決手段】  本発明は、有機マトリックス材料がスピロビフルオレン化合物から少くとも部分的に構成され、該有機マトリックス材料のガラス転移温度が少くとも１２０℃であり、該マトリックス材料の最高被占分子軌道（ＨＯＭＯ）が５．４ｅＶの最大エネルギーレベルにあることで特徴付けられる、有機半導体材料を製造するための有機マトリックス材料の使用；並びに有機半導体材料および電子部品に関する。【選択図】  図１
2006237552.tif 000002
【特許請求の範囲】
【請求項１】
有機半導体材料を製造するための有機マトリックス材料の使用であって、有機マトリックス材料が、下記式（Ｉ）：
【化１】
2006237552.tif 000014
（上記式中Ｒはフェニル基上に存在する少くとも１つの置換基であるが、すべてのＲが同時に水素であることはない）
および／または下記式（II）：
【化２】
2006237552.tif 000015
（上記式中Ｒは水素以外の置換基であり、Ｒ′は置換基である）
のスピロビフルオレン化合物から少くとも一部構成され、該有機マトリックス材料のガラス転移温度が少くとも１２０℃であり、該マトリックス材料の最高被占分子軌道（ＨＯＭＯ）が５．４ｅＶの最大エネルギーレベルにある、使用。
【請求項２】
式（Ｉ）および式（II）の各ＲおよびまたはＲ′が、独立して、水素、メチル、エチル、ｎ‐プロピル、イソプロピル、ｎ‐ブチル、イソブチル、tert‐ブチル、ＮＨ２、Ｎ（ＣＨ４）２およびＮＰｈ２からなる群より選択されるが、式（Ｉ）ですべてのＲが同時に水素であることはない、請求項１に記載の有機マトリックス材料の使用。
【請求項３】
スピロビフルオレン化合物が、
【化３】
2006237552.tif 000016
【化４】
2006237552.tif 000017
【化５】
2006237552.tif 000018
からなる群より選択される、請求項２に記載の有機マトリックス材料の使用。
【請求項４】
スピロビフルオレン化合物のガラス転移温度が１２０℃〜２５０℃であり、該化合物の最高被占分子軌道が４．５ｅＶ〜５．４ｅＶ、好ましくは４．８ｅＶ〜５．２ｅＶのエネルギーレベルにある、請求項１〜３のいずれか一項に記載の有機マトリックス材料の使用。
【請求項５】
有機マトリックス材料および有機ドーパントを含んでなり、有機マトリックス材料が、請求項１〜４のいずれか一項に記載された１種以上の化合物から少くとも部分的に構成されてなる、有機半導体材料。
【請求項６】
ドーパントが２，３，５，６‐テトラフルオロ‐７，７，８，８‐テトラシアノキノジメタンまたはその誘導体である、請求項５に記載の有機半導体材料。
【請求項７】
ドーパント対マトリックス材料のモルドーピング比が１：１〜１：１００００である、請求項５または６に記載の有機半導体材料。
【請求項８】
有機マトリックス材料および有機ドーパントを含んでなる有機半導体材料を含有してなり、有機マトリックス材料が、請求項１〜４のいずれか一項に記載されたスピロビフルオレン化合物から少くとも部分的に構成されている、電子部品。
【請求項９】
有機発光ダイオード（ＯＬＥＤ）、光電池、有機太陽電池、有機ダイオードまたは有機電界効果トランジスターの形をした、請求項８に記載の電子部品。
【発明の詳細な説明】
【発明の分野】
【０００１】
本発明は、有機半導体材料を製造するための有機マトリックス材料の使用、および有機マトリックス材料を含んでなる有機半導体材料、更には電子部品に関する。
【発明の背景】
【０００２】
シリコン半導体のような無機半導体の場合のように、ドーピングが電気的性質、特に導電率について有機半導体を変えうることが知られている。
【０００３】
この場合に、マトリックス材料中で電荷担体の形成が初期の相当低い導電性を高めており、用いられるドーパントのタイプに応じて、半導体のフェルミ準位に変化をもたらす。ドーピングは電荷輸送層の導電性を増すことで、抵抗損を減らし、こうして接点および有機層間における電荷担体の移動性に改善をもたらしているのである。
【０００４】
このような有機半導体のドーピングでは、テトラシアノキノジメタン（ＴＣＮＱ）または２，３，５，６‐テトラフルオロテトラシアノ‐１，４‐ベンゾキノジメタン（Ｆ４‐ＴＣＮＱ）のような強電子受容体が知られるようになった；M.Pfeiffer,A.Beyer,T.Fritz,K.Leo,Appl.Phys.Lett.,73(22),3202-3204(1998)およびJ.Blochwitz,M.Pfeiffer,T.Fritz,K.Leo,Appl.Phys.Lett.,73(6),729-732(1998)参照。電子供与体様基礎材料（ホール輸送材料）中における電子伝達プロセスの結果として、これらはホールとして知られるものを生じ、その数および移動度に応じてマトリックス材料の導電性を大なり小なり有意に変えている。
【０００５】
公知のマトリックス材料は、例えば、４，４′，４″‐トリス（ジフェニルアミノ）トリフェニルアミン（ＴＤＡＴＡ）、４，４′，４″‐トリス（３‐メチルフェニルフェニルアミノ）トリフェニルアミン（ｍ‐ＭＴＤＡＴＡ）およびＮ，Ｎ，Ｎ′，Ｎ′‐テトラキス（４‐メトキシフェニル）ベンジジン（ＭｅＯ‐ＴＰＤ）のようなスターバースト型化合物である。
【０００６】
上記の公知マトリックス材料の化学構造が以下で示されている：
【化１】
2006237552.tif 000003
しかしながら、これらの化合物は熱不安定性であり、即ちそれらは低いガラス転移温度を有し、低温で結晶化しやすいため、最終的には不安定な電子部品になる。
【０００７】
ガラス転移温度とは、溶融状態から材料の急冷時に分子の運動が動力学的理由からもはや不可能になり、熱容量または膨張率のような熱力学パラメーターが典型的液体値から典型的固体値へと突然に変化する温度である、とみなされている。有機半導体材料がこのようなマトリックス材料で用いられた場合、高い作業温度のときにこのような半導体材料の慣例的層構造で粗さの形成を防ぐためには、マトリックス材料の熱安定性が特に形態学的理由から重要である。更に、マトリックス材料内でドーパントの拡散を制限するためにも、熱安定性が重要である。
【０００８】
先行技術では２，２′，７，７′‐テトラキス（Ｎ，Ｎ‐ジフェニルアミノ）‐９，９′‐スピロビフルオレン（スピロ‐ＴＡＤ）のような熱安定性マトリックス材料についても開示している；しかしながら、最高被占分子軌道（ＨＯＭＯ）のエネルギーレベルの位置のために、これはドープできないのである。
【化２】
2006237552.tif 000004
【発明の具体的説明】
【０００９】
本発明の目的は、有機半導体部品用に高いホール導電性を有したホール輸送層を与えるために、マトリックス材料が熱安定性でかつドーピング可能である、有機半導体材料を製造するための有機マトリックス材料の使用を提供することである。更に、強有機電子受容体を伴った減圧下の共蒸発により相応に高いホール導電性を有した層を与えるために、蒸着により有機マトリックス材料を適用することが可能であろう。
【００１０】
本目的は、下記式（Ｉ）：
【化３】
2006237552.tif 000005
（上記式中Ｒはフェニル基上に存在する少くとも１つの置換基であるが、すべてのＲが同時に水素であることはない）
および／または下記式（II）：
【化４】
2006237552.tif 000006
（上記式中Ｒは水素以外の置換基であり、Ｒ′は置換基である）
のスピロビフルオレン化合物から少くとも部分的に構成される有機マトリックス材料であって、該有機マトリックス材料のガラス転移温度が少くとも１２０℃であり、該マトリックス材料の最高被占分子軌道（ＨＯＭＯ）が５．４ｅＶの最大エネルギーレベルにあるものによって達成される。
そのため式（Ｉ）では、フェニル基に１以上の置換基を付してもよい。
【００１１】
式（Ｉ）および（II）の各ＲおよびまたはＲ′は、独立して水素、メチル、エチル、ｎ‐プロピル、イソプロピル、ｎ‐ブチル、イソブチル、tert‐ブチル、ＮＨ２、Ｎ（ＣＨ４）２およびＮＰｈ２からなる群より選択されるが、式（Ｉ）ですべてのＲが同時に水素であることはない。
【００１２】
スピロビフルオレン化合物は下記からなる群より選択されることが、特に好ましい：
【化５】
2006237552.tif 000007
【００１３】
スピロビフルオレン化合物のガラス転移温度は１２０℃〜２５０℃であり、該化合物の最高被占分子軌道は４．５ｅＶ〜５．４ｅＶ、好ましくは４．８ｅＶ〜５．２ｅＶのエネルギーレベルにあることが、同様に好ましい。
【００１４】
本目的は、本発明に従いマトリックス材料として用いられる１種以上の化合物から有機マトリックス材料が少くとも一部構成されている、有機マトリックス材料および有機ドーパントを含んでなる有機半導体材料によっても達成される。
【００１５】
ドーパントが２，３，５，６‐テトラフルオロ‐７，７，８，８‐テトラシアノキノジメタンまたはその誘導体であることも、同様に好ましい。しかしながら、類似の受容体作用および同等のまたはそれより大きな分子質量を有する別なドーパントも可能である；例えば、ＤＥ１０３５７０４４．６参照。ドーパント対マトリックス材料のモルドーピング比は１：１〜１：１００００であることが、特に好ましい。
【００１６】
本目的は、本発明に従いマトリックス材料として考えられるスピロビフルオレン化合物から少くとも一部が構成された有機マトリックス材料が用いられている電子部品によって、更に達成される。
【００１７】
有機発光ダイオード（ＯＬＥＤ）、光電池、有機太陽電池、有機ダイオードまたは有機電界効果トランジスターの形をした電子部品が最終的に提供される。
【００１８】
本発明は、有機半導体材料の製造用として記載された有機マトリックス材料の使用が、有機半導体部品用の熱安定性ドープドホール輸送層をもたらすという、意外な発見に基づいている。該マトリックス材料の使用は蒸着で適用しうるホール輸送材料をもたらすため、強有機電子受容体を伴った減圧下の共蒸発により、それらは高いホール導電性を有する層を形成するのである。
【００１９】
記載された有機マトリックス材料が用いられた場合、ホール輸送材料の安定で一価の正に荷電したカチオン状態が得られる。
【実施例】
【００２０】
例
Ａ．２，２′，７，７′‐テトラキス（Ｎ，Ｎ‐ジ‐ｐ‐メチルフェニルアミノ）‐９，９′‐スピロビフルオレン（スピロ‐ＴＴＢ）の製造
【化６】
2006237552.tif 000008
２，２′，７，７′‐テトラブロモ‐９，９′‐スピロビフルオレン（１０ｇ、１５．８ｍｍｏｌ）、ジ‐ｐ‐トリルアミン（１４．２ｇ、７２．１ｍｍｏｌ）およびナトリウムtert‐ブトキシド（９．６ｇ、１００ｍｍｏｌ）を窒素下無水トルエン１００ｍｌ中６０℃で１時間攪拌する。次いで、トリ‐tert‐ブチルホスフィン（２００ｍｇ、１．０ｍｍｏｌ、テトラブロモスピロビフルオレンに対して６．３％）および酢酸パラジウム（II）（９２ｍｇ、０．４ｍｍｏｌ、テトラブロモスピロビフルオレンに対して２．６％）を加え、反応混合液を窒素下で加熱還流する。反応の進行は薄層クロマトグラフィー（溶離液：ジクロロメタン中５０％ヘキサン）によりモニターする。２．５時間後、反応剤はＴＬＣでもはや検出できない。反応混合液を冷却し、水２０ｍｌ中ＫＣＮ１００ｍｇの溶液と混合し、６０℃で更に１時間攪拌する。室温まで冷却後、各相を分離し、有機相を硫酸ナトリウムで乾燥させ、溶媒を除去する。粗生成物をジオキサンから２回再結晶化し、次いでヘキサン中少量のジクロロメタンから再結晶化し、減圧下で乾燥させる。
収量：やや緑色状の粉末１５．０ｇ（１３．８ｍｍｏｌ、理論量の８７％）
１Ｈ  ＮＭＲ（５００ＭＨｚ，ＣＤＣｌ３＋ヒドラジン水和物）：７．４０（ｄ，１Ｈ，Ｊ＝７．８），７．００（ｄ，４Ｈ，Ｊ＝８．３），６．８８（ｄ，４Ｈ，Ｊ＝８．３），６．８５（ｄｄ，１Ｈ，Ｊ＝８．３，Ｊ＝２．０），６．６７（ｄ，１Ｈ，Ｊ＝２．０），２．３０（ｓ，６Ｈ）．
１３Ｃ  ＮＭＲ（１２７．５ＭＨｚ，ＣＤＣｌ３＋ヒドラジン水和物）：１４９．８，１４６．７，１４５．３，１３６．１，１３１．５，１２９．５，１２４．０，１２３．２，１１９．９，１１９．３，６５．３，２０．６．
【００２１】
Ｂ．２，２′，７，７′‐テトラキス（Ｎ，Ｎ‐ジ‐ｐ‐イソプロピルフェニルアミノ）‐９，９′‐スピロフルオレン（スピロ‐ｉＰｒ‐ＴＡＤ）の製造
４‐イソプロピルヨードベンゼン
【化７】
2006237552.tif 000009
４‐イソプロピルアニリン（４９．５ｇ，３６６ｍｍｏｌ）を蒸留水２００ｍｌに懸濁し、氷冷下で半濃硫酸２００ｍｌと徐々に混合する。次いで、温度が２℃を超えないような速度で蒸留水２００ｍｌ中亜硝酸ナトリウム（２５．５ｇ，３７０ｍｍｏｌ）の溶液を滴下する。滴下終了後、混合液を２℃で更に２０分間攪拌する。得られた透明赤色状ジアゾニウム塩溶液を蒸留水２００ｍｌ中ヨウ化カリウム（１３５．０ｇ，８１３ｍｍｏｌ）の溶液へフィルターを介して加える。反応混合液を８０℃で１時間攪拌する。この過程で、溶液が激しくガス発生しながら黒色になり、油状有機相が分離する。冷却後、有機相を除去し、水相をエーテル１００ｍｌで４回以上抽出する。合わせた有機相を希水酸化ナトリウム溶液および蒸留水で洗浄し、硫酸ナトリウムで乾燥する。溶媒が除去された後、粗生成物を膜ポンプ真空下で蒸留する。やや赤色状の目的生成物は１００〜１０５℃（１５ｍｂａｒ）の温度で留出する。
収量：やや赤色状の液体７５．３ｇ（３１０ｍｍｏｌ、理論量の８３％）
１Ｈ  ＮＭＲ（５００ＭＨｚ，ＣＤＣｌ３）：７．６０（ｄ，２Ｈ，Ｊ＝８．３），６．９８（ｄ，２Ｈ，Ｊ＝８．３），２．８５（ｑ，１Ｈ，Ｊ＝６．８），１．２２（ｄ，６Ｈ，Ｊ＝６．８）．
１３Ｃ  ＮＭＲ（１２７．５ＭＨｚ，ＣＤＣｌ３）：１４８．４，１３７．３，１２８．６，９０．６，３３．７，２３．８．
【００２２】
Ｎ‐アセチル‐４‐イソプロピルアニリン
【化８】
2006237552.tif 000010
無水酢酸（２６．０ｇ，２５４ｍｍｏｌ）をクロロホルム８０ｍｌ中４‐イソプロピルアニリン（１７．２ｇ，１２７ｍｍｏｌ）の溶液にゆっくり滴下する。この過程で、反応混合液の激しい発熱が生じる。滴下終了後、混合液を室温で更に２時間攪拌する。反応混合液を濃縮乾固させ、得られた赤色状の白色固体物をヘキサンから再結晶化する。
収量：白色固体物２１．１ｇ（１２０ｍｍｏｌ、理論量の９４％）
１Ｈ  ＮＭＲ（５００ＭＨｚ，ＣＤＣｌ３）：７．８８（ｓ，１Ｈ），７．４０（ｄ，２Ｈ，Ｊ＝８．３），７．１４（ｄ，２Ｈ，Ｊ＝８．３），２．８６（ｑ，１Ｈ，Ｊ＝６．８），１．２１（ｄ，６Ｈ，Ｊ＝６．８）．
１３Ｃ  ＮＭＲ（１２７．５ＭＨｚ，ＣＤＣｌ３）：１６８．６，１４４．９，１３５．６，１２６．７，１２０．２，３３．５，２４．３，２３．９．
融点：１０７℃（文献（Dyall,Aus.J.Chem.17,1964,419）：１０４‐１０５℃）
【００２３】
Ｎ‐アセチル‐Ｎ，Ｎ‐ジ（４‐イソプロピルフェニル）アミン
【化９】
2006237552.tif 000011
４‐イソプロピルヨードベンゼン（２９．２ｇ，１１８ｍｍｏｌ）、Ｎ‐アセチル‐４‐イソプロピルアニリン（２１．０ｇ，１１８ｍｍｏｌ）、銅粉末（１５．０ｇ，２３７ｍｍｏｌ）、炭酸カリウム（６５．４ｇ，４７４ｍｍｏｌ）および１８‐クラウン‐６（２．９ｇ，１２ｍｍｏｌ）を１，２‐ジクロロベンゼン２００ｍｌ中で加熱還流する。反応を薄層クロマトグラフィー（溶離液：ジクロロメタン中１０％ＴＨＦ）によりモニターする。４８時間後、まだ熱い反応混合液を濾過し、フィルター残渣を十分に洗浄し、溶媒をロータリーエバポレーターで除去する。ジクロロメタン中１０％ＴＨＦを用いて、粗生成物をシリカゲルのクロマトグラフィーに付す。生成物フラクションを濃縮乾固し、ヘキサンから再結晶化し、減圧下で乾燥させる。
収量：やや褐色状の固体物１４．３１ｇ（４８ｍｍｏｌ、理論量の４１％）
１Ｈ  ＮＭＲ（５００ＭＨｚ，ＣＤＣｌ３）：７．２１（ｍ，８Ｈ），２．９０（ｓ（ｂｒ．），２Ｈ），２．０４（ｓ，３Ｈ），１．２３（ｓ（ｂｒ．），１２Ｈ）．
【００２４】
Ｎ，Ｎ‐ジ（４‐イソプロピルフェニル）アミン
【化１０】
2006237552.tif 000012
Ｎ‐アセチル‐Ｎ，Ｎ‐ジ（４‐イソプロピルフェニル）アミン（５．４ｇ，１８．４ｍｍｏｌ）を２０％水性エタノール１００ｍｌ中で加熱還流する。反応を薄層クロマトグラフィーによりモニターする。３０時間後、反応剤はＴＬＣでもはや検出できない。エタノール溶液を蒸留水に注ぎ、褐色状の沈殿物を吸引濾取し、ジクロロメタンに溶解させ、硫酸ナトリウムで乾燥させる。溶液を濃縮し、ヘキサン中５０％ジクロロメタンで短シリカゲルカラムによるクロマトグラフィーに付す。生成物フラクションを濃縮乾固し、生成物を減圧下で乾燥させる。
収量：やや褐色状の固体物４．０ｇ（１６ｍｍｏｌ、理論量の８６％）
１Ｈ  ＮＭＲ（５００ＭＨｚ，ＣＤＣｌ３）：７．１２（ｄ，４Ｈ，Ｊ＝８．３），６．９９（ｄ，４Ｈ，Ｊ＝８．３），５．５５（ｓ（ｂｒ．），１Ｈ），２．８６（ｑ，２Ｈ，Ｊ＝６．８），１．２４（ｄ，１２Ｈ，Ｊ＝６．８）．
１３Ｃ  ＮＭＲ（１２７．５ＭＨｚ，ＣＤＣｌ３）：１４１．３，１２７．１，１１７．７，３３．４，２４．１．
【００２５】
２，２′，７，７′‐テトラキス（Ｎ，Ｎ‐ジ‐ｐ‐イソプロピルフェニルアミノ）‐９，９′‐スピロビフルオレン（スピロ‐ｉＰｒ‐ＴＡＤ）
【化１１】
2006237552.tif 000013
２，２′，７，７′‐テトラブロモ‐９，９′‐スピロビフルオレン（１．７ｇ、２．６ｍｍｏｌ）、Ｎ，Ｎ‐ジ‐４‐イソプロピルフェニルアミン（３．０ｇ、１２．０ｍｍｏｌ）およびナトリウムtert‐ブトキシド（１．６ｇ、１７ｍｍｏｌ）を窒素下無水トルエン１００ｍｌ中６０℃で１時間攪拌する。次いで、トリ‐tert‐ブチルホスフィン（４．８ｍｇ、０．２４ｍｍｏｌ、テトラブロモスピロビフルオレンに対して９．２％）および酢酸パラジウム（II）（２７ｍｇ、０．１２ｍｍｏｌ、テトラブロモスピロビフルオレンに対して４．６％）を加え、反応混合液を窒素下で加熱還流する。反応の進行は薄層クロマトグラフィー（溶離液：ヘキサン中２０％ジクロロメタン）によりモニターする。３．５時間後、反応剤はＴＬＣでもはや検出できない。反応混合液を冷却し、水２０ｍｌ中ＫＣＮ１００ｍｇの溶液と混合し、６０℃で更に１時間攪拌する。室温まで冷却後、各相を分離し、有機相を硫酸ナトリウムで乾燥させ、溶媒を除去する。粗生成物をジオキサンから２回再結晶化し、次いで減圧下で乾燥させる。
収量：やや黄色状の微結晶粉末２．８ｇ（２．１ｍｍｏｌ、理論量の８１％）
１Ｈ  ＮＭＲ（５００ＭＨｚ，ＣＤＣｌ３）：７．４１（ｄ，１Ｈ，Ｊ＝８．３），７．０５（ｄ，４Ｈ，Ｊ＝８．３），６．９０（ｍ，５Ｈ），６．７２（ｓ（ｂｒ），１Ｈ），２．８５（ｑ，２Ｈ，Ｊ＝６．８），１．２４（ｄ，１２Ｈ，Ｊ＝６．８）．
１３Ｃ  ＮＭＲ（１２７．５ＭＨｚ，ＣＤＣｌ３）：１５０．７，１４７．５，１４６．３，１４３．３，１３７．２，１２７．６，１２５．３，１２３．８，１２０．８，１２０．７，６６．２，３４．１，２４．８．
Ｔｇ：１４４℃，Ｔｋ：１６６℃，Ｔｍ：３６３℃．
【００２６】
２種の有機材料スピロ‐ＴＴＢおよびスピロ‐ｉＰｒ‐ＴＡＤをＦ４‐ＴＣＮＱで各々ドープし、導電率測定に付した。これらの測定では、互いに１ｍｍ離れてガラス基板に取付けられた２本の約５ｍｍ幅接点（酸化インジウムスズ，ＩＴＯ製）に、ドープド層を減圧下で共蒸発により適用した。接点を電流‐電圧測定装置へ外部接続し、横方向電流を固定印加電圧で測定した。この横方向電流から、層の導電率を単純抵抗関係により計算する。導電率は下記式から求められる：
導電率＝（横方向電流＊距離）／（幅＊層厚）
【００２７】
図１および２は、２種のドープドマトリックス材料について、層厚に伴う横方向電流の増加を各々示している。２．５％Ｆ４‐ＴＣＮＱでドープされたスピロ‐ＴＴＢの５０ｎｍ厚層の導電率は約１．６Ｅ‐５Ｓ／ｃｍであり、５％Ｆ４‐ＴＣＮＱでドープされたスピロ‐ｉＰｒ‐ＴＡＤの５０ｎｍ厚層の導電率は約８Ｅ‐７Ｓ／ｃｍである。
【００２８】
有機マトリックス材料でＯＬＥＤの形をとる本発明電子部品の一態様は、本発明に従い用いられたように製造でき、基板から発光する標準デザインの場合、以下の層配置をとる：
１．担体基板：ガラス
２．ボトム電極（アノードＡ）：ＩＴＯ
３．ｐ‐ドープド、ホール‐注入および‐輸送層：スピロ‐ＴＴＢ：Ｆ４‐ＴＣＮＱ
（２．５％モルドーピング濃度）
４．バンド位置が周辺層のバンド位置と合致した材料の薄いホール側中間層
５．発光層（できれば、エミッター色素でドープする）：ＴＣＴＡ（４，４′，４″‐
トリス（Ｎ‐カルバゾリル）トリフェニルアミン）：Ｉｒｐｐｙ３（ｆａｃ‐トリス
（２‐フェニルピリジン）イリジウム）
６．バンド位置が周辺層のバンド位置と合致した材料の薄い電子側中間層：ＢＰｈｅｎ
（４，７‐ジフェニル‐１，１０‐フェナントロリン）
７．ｐ‐ドープド、電子‐注入および‐輸送層：セシウムでドープされたＢＰｈｅｎ
（約１：１モル濃度）
８．トップ電極（カソードＫ）：アルミニウム  および
９．環境影響排除用の被覆：カバーガラス
【００２９】
こうして製造された有機発光ダイオードを輝度電圧および電流効率電圧特性に関して試験し、その結果が図３で示されている。有機ホール輸送層のドーピングのおかげで、これは急勾配の電流‐電圧特性、ひいては急勾配の輝度電圧特性を示す（左手軸）。２．７５Ｖおよび３．１Ｖの電圧で１００ｃｄ／ｍ２および１０００ｃｄ／ｍ２の輝度に達する。ドープドホールおよび電子輸送層と２つの中間層との理想的配置のおかげで、発光の電流効率も同様に非常に高く、広い明度範囲にわたり一定である：４６ｃｄ／Ａおよび４５ｃｄ／Ａ。安定なホール輸送層のおかげで、このＯＬＥＤは、光電子性質の劣化なしに、比較的高い温度（１００℃以上まで）で安定的に作動しうる。
【００３０】
上記の説明、請求の範囲および図面で開示された本発明の特徴は、その異なる態様で本発明の実施上、個別にまたは何らかの組合せで必須となるであろう。
【図面の簡単な説明】
【００３１】
本発明の別な利点および特徴は、以下の例示有機マトリックス材料の詳細な説明と、次のような添付図面から明らかとなる：
【図１】（Ｆ４‐ＴＣＮＱでドープされた）有機マトリックス材料スピロ‐ＴＴＢの輸送層における、層厚に対する横方向電流の依存性を示している。
【図２】（Ｆ４‐ＴＣＮＱでドープされた）有機マトリックス材料スピロ‐ｉＰｒ‐ＴＡＤの輸送層における、層厚に対する横方向電流の依存性を示している。
【図３】ドープド輸送層およびｐ‐ドーパントとして（Ｆ４‐ＴＣＮＱでドープされた）スピロ‐ＴＴＢを有する有機発光ダイオードの輝度電圧および電力効率電圧特性について示している。
【図１】
2006237552.tif 000019
【図２】
2006237552.tif 000020
【図３】
2006237552.tif 000021
【外国語明細書】
2006237552000001.pdf